【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
硬化性組成物から反応生成物を調製する方法であって：
構造ＩまたはＩＡの範囲内の化合物を所望の基体表面に塗布するステップ、
【化１】
2015522687.tif 000001
（式中、Ｚは、ＯまたはＮ−Ｒであり、ＲおよびＲ’は、独立に、水素、アルキル、アルケニル、アリール、ヒドロキシアルキル、ヒドロキシアルケニル、アルキレン（メタ）アクリレート、カルボニル、カルボキシルまたはスルホナトから選択され、あるいはＲおよびＲ’は、一緒になって環状炭素またはヘテロ原子含有環を形成し、あるいはＲ’は、式中のフェニル環に付加している直接結合であり；Ｘは、ハロゲン、アルキル、アルケニル、シクロアルキル、ヒドロキシアルキル、ヒドロキシアルケニル、アルコキシ、アミノ、アルキレン−もしくはアルケニレン−エーテル、アルキレン（メタ）アクリレート、カルボニル、カルボキシル、ニトロソ、スルホネート、ヒドロキシルまたはハロアルキルであり；Ｙは、−ＳＯ２ＮＨ−、−ＣＯＮＨ−、−ＮＨ−、および−ＰＯ（ＮＨＣＯＮＨＣＳＮＨ２）ＮＨ−であり；ｎは、０または１であり、ｍは、１または２である。）
【化２】
2015522687.tif 000002
（式中、ＲおよびＲ’は、独立に、水素、アルキル、アルケニル、アリール、ヒドロキシアルキル、ヒドロキシアルケニル、アルキレン（メタ）アクリレート、カルボニル、カルボキシルまたはスルホナトから選択され、あるいはＲおよびＲ’は、一緒になって環状炭素またはヘテロ原子含有環を形成し、あるいはＲ’は、式中のフェニル環に付加している直接結合であり；Ｘは、ハロゲン、アルキル、アルケニル、シクロアルキル、ヒドロキシアルキル、ヒドロキシアルケニル、アルコキシ、アミノ、アルキレン−もしくはアルケニレン−エーテル、アルキレン（メタ）アクリレート、カルボニル、カルボキシル、ニトロソ、スルホネート、ヒドロキシルまたはハロアルキルであり；Ｙは、−ＳＯ２ＮＨ−、−ＣＯＮＨ−、−ＮＨ−、および−ＰＯ（ＮＨＣＯＮＨＣＳＮＨ２）ＮＨ−であり；ｎは、０または１であり、ｍは、１または２である。）
（メタ）アクリレート成分および酸化剤を含む組成物をその所望の基体表面に塗布するステップ、
第２の表面とその基体表面を組み合わせて組立品を形成するステップ、および
前記組立品を、前記組成物を硬化させるのに十分な時間、適切な条件に曝すステップ
を含む方法。
【請求項２】
硬化性組成物から反応生成物を調製する方法であって：
（メタ）アクリレート成分および酸化剤を含む組成物を所望の基体表面に塗布するステップ、
構造ＩまたはＩＡの範囲内の化合物をその所望の基体表面に塗布するステップ、
【化３】
2015522687.tif 000003
（式中、Ｚは、ＯまたはＮ−Ｒであり、ＲおよびＲ’は、独立に、水素、アルキル、アルケニル、アリール、ヒドロキシアルキル、ヒドロキシアルケニル、アルキレン（メタ）アクリレート、カルボニル、カルボキシルまたはスルホナトから選択され、あるいはＲおよびＲ’は、一緒になって環状炭素またはヘテロ原子含有環を形成し、あるいはＲ’は、式中のフェニル環に付加している直接結合であり；Ｘは、ハロゲン、アルキル、アルケニル、シクロアルキル、ヒドロキシアルキル、ヒドロキシアルケニル、アルコキシ、アミノ、アルキレン−もしくはアルケニレン−エーテル、アルキレン（メタ）アクリレート、カルボニル、カルボキシル、ニトロソ、スルホネート、ヒドロキシルまたはハロアルキルであり；Ｙは、−ＳＯ２ＮＨ−、−ＣＯＮＨ−、−ＮＨ−、および−ＰＯ（ＮＨＣＯＮＨＣＳＮＨ２）ＮＨ−であり；ｎは、０または１であり、ｍは、１または２である。）
【化４】
2015522687.tif 000004
（式中、ＲおよびＲ’は、独立に、水素、アルキル、アルケニル、アリール、ヒドロキシアルキル、ヒドロキシアルケニル、アルキレン（メタ）アクリレート、カルボニル、カルボキシルまたはスルホナトから選択され、あるいはＲおよびＲ’は、一緒になって環状炭素またはヘテロ原子含有環を形成し、あるいはＲ’は、式中のフェニル環に付加している直接結合であり；Ｘは、ハロゲン、アルキル、アルケニル、シクロアルキル、ヒドロキシアルキル、ヒドロキシアルケニル、アルコキシ、アミノ、アルキレン−もしくはアルケニレン−エーテル、アルキレン（メタ）アクリレート、カルボニル、カルボキシル、ニトロソ、スルホネート、ヒドロキシルまたはハロアルキルであり；Ｙは、−ＳＯ２ＮＨ−、−ＣＯＮＨ−、−ＮＨ−、および−ＰＯ（ＮＨＣＯＮＨＣＳＮＨ２）ＮＨ−であり；ｎは、０または１であり、ｍは、１または２である。）
第２の表面とその基体表面を組み合わせて組立品を形成するステップ、および
前記組立品を、前記組成物を硬化させるのに十分な時間、適切な条件に曝すステップ
を含む方法。
【請求項３】
硬化性組成物から反応生成物を調製する方法であって：
酸化剤を所望の基体表面に塗布するステップ、
（メタ）アクリレート成分および構造ＩまたはＩＡの範囲内の化合物を含む組成物をその所望の基体表面に塗布するステップ、
【化５】
2015522687.tif 000005
（式中、Ｚは、ＯまたはＮ−Ｒであり、ＲおよびＲ’は、独立に、水素、アルキル、アルケニル、アリール、ヒドロキシアルキル、ヒドロキシアルケニル、アルキレン（メタ）アクリレート、カルボニル、カルボキシルまたはスルホナトから選択され、あるいはＲおよびＲ’は、一緒になって環状炭素またはヘテロ原子含有環を形成し、あるいはＲ’は、式中のフェニル環に付加している直接結合であり；Ｘは、ハロゲン、アルキル、アルケニル、シクロアルキル、ヒドロキシアルキル、ヒドロキシアルケニル、アルコキシ、アミノ、アルキレン−もしくはアルケニレン−エーテル、アルキレン（メタ）アクリレート、カルボニル、カルボキシル、ニトロソ、スルホネート、ヒドロキシルまたはハロアルキルであり；Ｙは、−ＳＯ２ＮＨ−、−ＣＯＮＨ−、−ＮＨ−、および−ＰＯ（ＮＨＣＯＮＨＣＳＮＨ２）ＮＨ−であり；ｎは、０または１であり、ｍは、１または２である。）
【化６】
2015522687.tif 000006
（式中、ＲおよびＲ’は、独立に、水素、アルキル、アルケニル、アリール、ヒドロキシアルキル、ヒドロキシアルケニル、アルキレン（メタ）アクリレート、カルボニル、カルボキシルまたはスルホナトから選択され、あるいはＲおよびＲ’は、一緒になって環状炭素またはヘテロ原子含有環を形成し、あるいはＲ’は、式中のフェニル環に付加している直接結合であり；Ｘは、ハロゲン、アルキル、アルケニル、シクロアルキル、ヒドロキシアルキル、ヒドロキシアルケニル、アルコキシ、アミノ、アルキレン−もしくはアルケニレン−エーテル、アルキレン（メタ）アクリレート、カルボニル、カルボキシル、ニトロソ、スルホネート、ヒドロキシルまたはハロアルキルであり；Ｙは、−ＳＯ２ＮＨ−、−ＣＯＮＨ−、−ＮＨ−、および−ＰＯ（ＮＨＣＯＮＨＣＳＮＨ２）ＮＨ−であり；ｎは、０または１であり、ｍは、１または２である。）
第２の表面とその基体表面を組み合わせて組立品を形成するステップ、および
前記組立品を、前記組成物を硬化させるのに十分な時間、適切な条件に曝すステップ
を含む方法。
【請求項４】
硬化性組成物から反応生成物を調製する方法であって：
（メタ）アクリレート成分および構造ＩまたはＩＡの範囲内の化合物を含む組成物を所望の基体表面に塗布するステップ、
【化７】
2015522687.tif 000007
（式中、Ｚは、ＯまたはＮ−Ｒであり、ＲおよびＲ’は、独立に、水素、アルキル、アルケニル、アリール、ヒドロキシアルキル、ヒドロキシアルケニル、アルキレン（メタ）アクリレート、カルボニル、カルボキシルまたはスルホナトから選択され、あるいはＲおよびＲ’は、一緒になって環状炭素またはヘテロ原子含有環を形成し、あるいはＲ’は、式中のフェニル環に付加している直接結合であり；Ｘは、ハロゲン、アルキル、アルケニル、シクロアルキル、ヒドロキシアルキル、ヒドロキシアルケニル、アルコキシ、アミノ、アルキレン−もしくはアルケニレン−エーテル、アルキレン（メタ）アクリレート、カルボニル、カルボキシル、ニトロソ、スルホネート、ヒドロキシルまたはハロアルキルであり；Ｙは、−ＳＯ２ＮＨ−、−ＣＯＮＨ−、−ＮＨ−、および−ＰＯ（ＮＨＣＯＮＨＣＳＮＨ２）ＮＨ−であり；ｎは、０または１であり、ｍは、１または２である。）
【化８】
2015522687.tif 000008
（式中、ＲおよびＲ’は、独立に、水素、アルキル、アルケニル、アリール、ヒドロキシアルキル、ヒドロキシアルケニル、アルキレン（メタ）アクリレート、カルボニル、カルボキシルまたはスルホナトから選択され、あるいはＲおよびＲ’は、一緒になって環状炭素またはヘテロ原子含有環を形成し、あるいはＲ’は、式中のフェニル環に付加している直接結合であり；Ｘは、ハロゲン、アルキル、アルケニル、シクロアルキル、ヒドロキシアルキル、ヒドロキシアルケニル、アルコキシ、アミノ、アルキレン−もしくはアルケニレン−エーテル、アルキレン（メタ）アクリレート、カルボニル、カルボキシル、ニトロソ、スルホネート、ヒドロキシルまたはハロアルキルであり；Ｙは、−ＳＯ２ＮＨ−、−ＣＯＮＨ−、−ＮＨ−、および−ＰＯ（ＮＨＣＯＮＨＣＳＮＨ２）ＮＨ−であり；ｎは、０または１であり、ｍは、１または２である。）
酸化剤をその所望の基体表面に塗布するステップ、
第２の表面とその基体表面を組み合わせて組立品を形成するステップ、および
前記組立品を、前記組成物を硬化させるのに十分な時間、適切な条件に曝すステップ
を含む方法。
【請求項５】
構造ＩまたはＩＡの範囲内の硬化促進剤を含むプライマー組成物。
【化９】
2015522687.tif 000009
（式中、Ｚは、ＯまたはＮ−Ｒであり、ＲおよびＲ’は、独立に、水素、アルキル、アルケニル、アリール、ヒドロキシアルキル、ヒドロキシアルケニル、アルキレン（メタ）アクリレート、カルボニル、カルボキシルまたはスルホナトから選択され、あるいはＲおよびＲ’は、一緒になって環状炭素またはヘテロ原子含有環を形成し、あるいはＲ’は、式中のフェニル環に付加している直接結合であり；Ｘは、ハロゲン、アルキル、アルケニル、シクロアルキル、ヒドロキシアルキル、ヒドロキシアルケニル、アルコキシ、アミノ、アルキレン−もしくはアルケニレン−エーテル、アルキレン（メタ）アクリレート、カルボニル、カルボキシル、ニトロソ、スルホネート、ヒドロキシルまたはハロアルキルであり；Ｙは、−ＳＯ２ＮＨ−、−ＣＯＮＨ−、−ＮＨ−、および−ＰＯ（ＮＨＣＯＮＨＣＳＮＨ２）ＮＨ−であり；ｎは、０または１であり、ｍは、１または２である。）
【化１０】
2015522687.tif 000010
（式中、ＲおよびＲ’は、独立に、水素、アルキル、アルケニル、アリール、ヒドロキシアルキル、ヒドロキシアルケニル、アルキレン（メタ）アクリレート、カルボニル、カルボキシルまたはスルホナトから選択され、あるいはＲおよびＲ’は、一緒になって環状炭素またはヘテロ原子含有環を形成し、あるいはＲ’は、式中のフェニル環に付加している直接結合であり；Ｘは、ハロゲン、アルキル、アルケニル、シクロアルキル、ヒドロキシアルキル、ヒドロキシアルケニル、アルコキシ、アミノ、アルキレン−もしくはアルケニレン−エーテル、アルキレン（メタ）アクリレート、カルボニル、カルボキシル、ニトロソ、スルホネート、ヒドロキシルまたはハロアルキルであり；Ｙは、−ＳＯ２ＮＨ−、−ＣＯＮＨ−、−ＮＨ−、および−ＰＯ（ＮＨＣＯＮＨＣＳＮＨ２）ＮＨ−であり；ｎは、０または１であり、ｍは、１または２である。）